(57)【要約】【課題】印刷目的に応じた印刷単位エリア毎に唯一固有の識別符号を付して各印刷単位エリアを識別できるようにした印刷用原紙の提供。【解決手段】印刷用原紙１は、Ａ３サイズ（４２０×２９７ｍｍ）の名刺用のそれであり、５５×９１ｍｍのサイズの印刷単位エリア２を７行（５５×７＝４０２ｍｍ）３列（９１×３＝２７３ｍｍ）で合計２１エリア構成し、その各印刷単位エリア２、２…には各々唯一固有の識別符号３、３…を印刷したものである。識別符号３、３…は８０文字種からなるアルファニューメリックによって構成する。その文字記号の組み合わせは、それ自体を８０進数の数字として扱い、最下位の桁から１ずつ昇順で数字の組み合わせを変えて行くこととし、その組み合わせの配列を単純な一列の直線文字記号列に構成したものである。【選択図】　図１
2004122404.tif 000002
【特許請求の範囲】
【請求項１】
印刷用原紙を予め印刷目的に応じた単位サイズの印刷単位エリアに区分し、それらの各印刷単位エリア毎に、作成される同種の印刷目的の全ての印刷用原紙を含めて一致することのない、アルファニューメリックによる唯一固有の識別符号を印刷して構成した印刷用原紙。
【請求項２】
前記識別符号を、前記印刷単位エリア毎に、該識別符号を構成するアルファニューメリックの何れかの桁から一定のルールに従って順次１つずつ変化させて印刷する請求項１の印刷用原紙。
【請求項３】
前記識別符号を透かし印刷により印刷する請求項１の印刷用原紙。
【請求項４】
前記識別符号をアルファニューメリックの装飾的な配列によって構成する請求項１の印刷用原紙。
【請求項５】
前記アルファニューメリックは、これを構成する英数字及び記号にギリシャ文字を含めたものとする請求項１の印刷用原紙。
【発明の詳細な説明】
【０００１】
【発明の属する技術分野】
本発明は印刷用原紙に関するものである。更に詳述すれば、本発明は、各種の印刷目的に応じた印刷用原紙に於いて、その印刷目的に適合する単位サイズの印刷単位エリア毎に、唯一固有の識別符号を印刷してそれぞれの印刷単位エリアが識別できるようにした印刷用原紙に関するものである。
【０００２】
【従来の技術】
印刷業者には、通常、印刷目的に応じた何種類もの印刷用原紙がストックされている。印刷業者は、顧客（依頼人）の依頼に応じて、印刷目的に対応する印刷用原紙を使用して印刷業務を行う。例えば、名刺作成の依頼があれば、名刺用の印刷用原紙を利用して、その表面に、又は表面及び裏面に、依頼された原稿に従った印刷を行う。
【０００３】
この場合に使用する名刺用の印刷用原紙には、その用紙サイズと希望の名刺のサイズによって異なるが、いずれにしても複数の印刷単位エリア、例えば、３×７＝２１エリアが区画構成されている。この２１の印刷単位エリアが２１枚の名刺に対応する訳であり、通常、２１枚同時に同じ原稿が印刷されるように、印刷機に上記の印刷原紙がセットされる。表面の印刷が終了したら裏面の印刷を行ない、その後に印刷単位エリア毎に印刷用原紙を裁断して名刺が出来上がる。
【０００４】
印刷用原紙が複数枚であっても変わりはない。云うまでもなく、通常の印刷機は一度表面と裏面との印刷すべき原稿をセットして置けば、後は必要なだけ印刷できるようになっているものである。
【０００５】
ところで名刺に関して、名刺１枚毎に宝くじ番号を付す技術が、特許文献１に開示されている。
【０００６】
これには、「ウェブサイトを通して、宝くじ名刺を業種、日付、姓名、商号別に区分して自動管理し、定期的に宝くじ番号を抽籤して会員に当籤金を支給することによって、オフラインを通して宝くじ名刺発行及び配送処理はもちろん、サイバー空間で効率的に名刺を管理して、名刺利用顧客に宝くじ機能の恵沢が与えられるようにした宝くじ名刺ウェブサイト運営方法を提供する」、又「最初注文生産された宝くじ名刺の会員番号を基礎として新しく注文される名刺の情報内容を会員情報データベースにアップデートする場合に、前記宝くじ名刺の形態または個人身分が変更された場合には変更された顧客の会員情報が会員情報データベースに自動でアップデートされる宝くじ名刺ウェブサイト運営方法を提供する」という目的の下に、「表面要部に固有一連番号２１が印刷された宝くじ名刺２０と、宝くじ名刺ウェブサイトを運営するウェブサーバー１３と、宝くじ名刺サービスと関連した各種データベースを運営する管理サーバー１４と、会員情報、名刺管理、当籤者、ウェブサイト案内データベース１５、１６、１７、１８及び、ホームページ１９を通してサイバー空間で宝くじ名刺サービスを提供する宝くじ名刺ウェブサイト運営方法において、会員契約が登録されたユーザーがインターネット１２を通して宝くじ名刺ウェブサイトに接続して宝くじ名刺２０を申請すると、多様な形態の宝くじ名刺２０イメージデータを画面に提示してユーザーが選択した名刺形態を根拠として宝くじ名刺２０を発行して配送する第一段階と、前記宝くじ名刺２０に印刷された固有一連番号２１を根拠として周期的な抽籤を通して当籤された会員に当籤金を支給して当籤された会員情報をアップデートさせるようになる第２段階と、会員契約が登録されたユーザーに割り当てられた宝くじ名刺２０のリストを画面に表示した状態で、前記名刺に印刷された固有一連番号２１を根拠として名刺を新規登録する第３段階と、ユーザーによって当籤者の確認要請があれば、当選者リストを画面に表示する第４段階及びユーザーによって終了機能が設定されるとインターネット１２接続を終了する第５段階を含んで構成されたことを特徴とする宝くじ名刺ウェブサイト運営方法」という技術が開示されている。
【０００７】
上記の技術は、主に宝くじ番号を名刺に印刷した後、この宝くじ番号を印刷した名刺を宝くじの観点からどのように管理するかに主眼が置かれており、より広い目的の下での利用方法にまでは着目されていない。更に宝くじ番号をどのように名刺に印刷するか、宝くじ番号をどのように構成するかに関しても開示されていない。
【０００８】
個人的に、受領した名刺に識別番号や識別符号を書き込んだり、判を押したりして管理することは見られるものの、印刷する前から、即ち、名刺用の印刷用原紙に識別番号や予め識別符号が印刷してあり、そのような印刷用原紙を用いてその後に名刺の印刷を行うという発想はこれまで見られなかった。
【０００９】
印刷業者が印刷する印刷物は名刺に限らず、書籍、パンフレット、或いは種々の広告用のチラシ類、又はカレンダー等多種多様である。その印刷物の大きさもＡ０版やＢ０版等の大型のものや先に述べた名刺のような小さなものまである。印刷用原紙と印刷単位エリアとの関係で云うと、大型の印刷物にあっては、印刷用原紙に印刷単位エリアは１つしかないものも当然ながらある。これらの各種の用途に用いられる印刷用原紙に、本来の印刷内容を印刷する前に、予め識別符号が印刷してあるものは皆無であった。
【００１０】
つまり、印刷物を受け取った個人が、同種の印刷物に関して識別番号や識別符号を書き込んで管理するようなことはあったとしても、印刷業者が本来の印刷内容を印刷する印刷用原紙に予め識別符号を付したものを使用し、印刷依頼者が識別符号によって該印刷物を手に入れた者等に関する種々の管理に利用することを想定するとともに、同時に、そのように印刷した印刷物の識別符号に関する管理を印刷用原紙を提供する者が全体的に行なうことは発想すら示されていないし、技術も開示されていない。
【００１１】
ところで、前記特許文献１のような宝くじ名刺に於いては、その宝くじ番号が印刷された名刺の中で、当該の名刺の宝くじ番号が唯一固有であるかという点でも確証の持てるものではない。顧客Ａ又は顧客Ｂの各々のための各一組の名刺の中では同一の宝くじ番号が付されたものはないように管理されるであろうが、顧客Ａの一組の名刺と顧客Ｂの一組の名刺とを比較してみるならば、相互に同一の宝くじ番号がないということは保証されないものである。
【００１２】
【特許文献１】
特開平２００１−３１５４７０号公報
【００１３】
【発明が解決しようとする課題】
本発明は、以上のような従来技術の問題点を解決し、各種の印刷用原紙に区分されている印刷目的に応じた単位サイズの印刷単位エリア毎に、唯一固有の識別符号を印刷してそれぞれの印刷単位エリアが確実に識別できるようにした印刷用原紙を提供することを解決の課題とするものである。
【００１４】
【課題を解決するための手段】
本発明の１は、印刷用原紙を予め印刷目的に応じた単位サイズの印刷単位エリアに区分し、それらの各印刷単位エリア毎に、作成される同種の印刷目的の全ての印刷用原紙を含めて一致することのない、アルファニューメリックによる唯一固有の識別符号を印刷して構成した印刷用原紙である。
【００１５】
従って本発明の１の印刷用原紙によれば、各種の印刷用原紙の印刷目的に応じた単位サイズの印刷単位エリア毎に、唯一固有の識別符号を印刷してそれぞれの印刷単位エリアが識別できるようにした印刷用原紙を作成し、これを提供することができる。そのためこの印刷用原紙を用いて印刷すると、個々の印刷物が唯一固有の識別符号を有することとなり、これを利用してその管理が適切に行われ得ることとなるものであるが、更には単なる管理を越えてこれによって新たなビジネスを生み出すことも可能になる。
【００１６】
例えば、名刺にこれを利用した場合は、個々の名刺に唯一固有の識別符号を付したものを作成できるため、手渡す名刺と受け取る名刺とを関連づけて管理することにより、何時、どこで、誰に、何の目的で手渡したか、等の名刺管理が可能となる。特に、この場合に、手渡す名刺の識別符号の読み取り及び記録用のハンディな手段であって、受け取る名刺の読み取り手段をも兼ねるとともに、それらのデータを関連づけてた保存することのできる簡易な装置を利用できるようにすれば、そのような管理が極めて簡単に行えることとなる。
【００１７】
チラシ類にこれを利用した場合は、その配布先と識別符号との関係を予め把握しておけば、配布先からの回答等に於いて同時にチラシの識別符号の提示を求めることとすれば、地域別の回答率の違い等が容易に把握できる。例えば、チラシの内容と地域別の回答率等の関連を容易に認識できることになる等である。
【００１８】
本発明の２は、本発明の１の印刷用原紙に於いて、前記識別符号を、前記印刷単位エリア毎に、該識別符号を構成するアルファニューメリックの何れかの桁から一定のルールに従って順次１つずつ変化させて印刷するものとしたものである。
【００１９】
従って、本発明の２の印刷用原紙によれば、前記印刷単位エリア毎に、簡単かつ確実に唯一固有の識別符号を印刷することが可能であり、過去に印刷したいずれの同種の印刷物の印刷単位エリアともダブることがない識別符号を印刷することができる。
【００２０】
なお前記一定のルールとしては、前記識別符号を、アルファニューメリックとして採用する文字種（記号も含む）が、例えば、５０種であれば５０進数の数字と考え、或いは６０種であれば６０進数の数字と考え、これらを昇順又は降順で一つずつ変化させて行く等である。こうすることにより、印刷用原紙の各印刷単位エリア毎に確実に異なる識別符号を生成させてこれを印刷してゆくことができる。
【００２１】
本発明の３は、本発明の１の印刷用原紙に於いて、前記識別符号を透かし印刷により印刷することとしたものである。
【００２２】
従って、本発明の３の識別符号を付した印刷用原紙によれば、識別符号は透かさなければ見えないので、印刷原紙上にそのようなものが付されているのを嫌う需要者に対しては、これを用いるのが違和感を感じないこととなって好都合である。
【００２３】
本発明の４は、本発明の１の印刷用原紙に於いて、前記識別符号をアルファニューメリックの装飾的な配列によって構成することとしたものである。
【００２４】
従って、本発明の４の印刷用原紙によれば、無機的に感じさせ易い識別符号を受け取る人に興味を感じさせることのできるものとなる。勿論、人の感じ方は様々であるから、かえって種々の印刷物に無機的に見える識別符号が付されていることが興味深く思われる場合もあり、これは場合によるということができる。識別符号は、前記のような構成ではなく、一列に並んだアルファニューメリックの配列によって構成し、そのような複数の識別符号を印刷用原紙の印刷単位エリアに一面に地模様のように配することも可能であり、これもまた人によるが興味深いものとなりうるものと考える。
【００２５】
本発明の５は、本発明の１の印刷用原紙に於いて、前記アルファニューメリックは、これを構成する英数字及び記号にギリシャ文字を含めたものとする請求項１の印刷用原紙。
【００２６】
従って本発明の５の印刷用原紙によれば、より多様な文字種により識別符号を構成し得るものとなる。
【００２７】
【発明の実施の形態】
以下、発明の実施の形態を実施例に基づき、かつ添付図を参照しつつ詳細に説明する。
【００２８】
＜実施例＞
図１は、本発明の印刷用原紙の一実施例を示したものであって、識別符号を付した名刺用の印刷用原紙の一例を示す平面図である。
【００２９】
この実施例の印刷用原紙１は、Ａ３サイズ（４２０×２９７ｍｍ）の名刺用のそれであり、５５×９１ｍｍのサイズの印刷単位エリア２を７行（５５×７＝４０２ｍｍ）３列（９１×３＝２７３ｍｍ）で合計２１エリア構成し、その各印刷単位エリア２、２…にはそれぞれ唯一固有の識別符号３、３…を印刷したものである。つまり一枚の印刷用原紙１に名刺用の２１の印刷単位エリア２、２…を構成し、かつその各々に唯一固有の識別符号３、３…を印刷したものである。識別符号３は、印刷単位エリア２の表面又は裏面のどちらであっても構わない。
【００３０】
前記識別符号３、３…はアルファニューメリックによって構成する。この実施例ではアルファニューメリックは、英字２６文字種、数字１０文字種、「＋」、「−」、「／」、「＊」、「＝」、「！」、「＃」、「＄」、「％」、「＆」等の記号２０種及びギリシャ文字２４文字種によって構成するものとした。該識別符号３、３…は、これらの全部で８０文字種からなるアルファニューメリックを利用して、前記各印刷単位エリア２、２…毎に一致することのない唯一固有の文字記号の組み合わせとして構成するものである。なお前記英字及び前記ギリシャ文字は小文字のみを採用した。大文字も採用すると、英字２６文字種及びギリシャ文字２４文字種が加わるので、アルファニューメリックは全部で１３０文字種で構成されることになる。
【００３１】
以上に於いて、各印刷単位エリア２、２…毎に一致することのない唯一固有の文字記号の組み合わせというのは、今後識別符号３、３…を付して作成される名刺用の印刷用原紙１、１…の全てを通じて唯一固有のという意味である。
【００３２】
前記識別符号３、３…を、以上のように、各印刷単位エリア２、２…毎に常に異なったものとする技法は、識別符号の管理、即ち、既に発行した識別符号を確実に把握しうること及び新しい識別符号を既に発行した識別符号とダブることなく発行しうることの二点を確実に管理できるものであれば、特定のそれに限定する必要はない。
【００３３】
この実施例では、アルファニューメリックの文字記号の組み合わせは、それ自体を８０進数の数字として扱い、最下位の桁から１ずつ昇順で数字の組み合わせを変えてゆくこととした。数の大きさは、「０、１、２、３、４、５、６、７、８、９」の順に大きくなるのは当然であるが、その次にはギリシャ文字、次に記号、次にアルファベットを用い、アルファベットの「ｚ」を最大の数とする。またこの実施例では識別符号３、３…の長さを１１桁とした。従って最も小さな数は「０００００００００００」であり、最も大きな数は「ｚｚｚｚｚｚｚｚｚｚｚ」となる。また全部で８０１１の数値が存在することになる。本来の文字記号の組み合わせの数として云えば、８０１１組の組み合わせが存在することとなり、しかもこの識別符号３、３…となる文字記号の組み合わせを８０進数として扱い、一つずつ、かつ昇順で組み合わせを変えてゆくものとすれば、既に発行した識別符号を確実に把握し、かつその後に発行する識別符号を既に発行した識別符号と絶対にダブることなく常に新しい唯一の識別符号として発行することができることとなるものである。
【００３４】
アルファニューメリックに、前記のように、英字及びギリシャ文字の大文字を加えれば、１３０文字種となり、文字記号の組み合わせの数は１３０１１である。８０１１でも膨大な数というべきであるが、これは更に膨大な数となる。後者で不足することになれば、これを採用することもできる。
【００３５】
なおこのアルファニューメリックの組み合わせの配列は、単純な一列の直線文字記号列に構成するばかりでなく、円環状に配列すること、その他の模様状の配列も可能である。もっともこの実施例では、図１に示すように、識別符号３、３…はアルファニューメリックの単純な一列の直線文字記号列に構成することとした。
【００３６】
この実施例では、図１に示すように、識別符号３、３…は最上部行の左端の印刷単位エリア２から順次昇順で構成する。次の行の左端の識別符号３は直上行の右端の識別符号に１を加えたそれとする。図１に示した名刺用の印刷用原紙１では、最上部行の左端の印刷単位エリア２に於ける識別符号３は「０８ｖ９ａｋｍ／ｈｎａ」であり、その右側の印刷単位エリア２の識別符号３は「０８ｖ９ａｋｍ／ｈｎｂ」である。またその行の右端の印刷単位エリア２の識別符号３は「０８ｖ９ａｋｍ／ｈｎｃ」である。従って次の行の左端の印刷単位エリア２の識別符号３は「０８ｖ９ａｋｍ／ｈｎｄ」である。最下部行の右端の印刷単位エリア２は、最上部の左端の印刷単位エリア２から２１番目に当たるため、その識別符号３は「０８ｖ９ａｋｍ／ｈｎｕ」となる。
【００３７】
以上のように、この実施例の名刺用の印刷用紙に於いては、全印刷用原紙１、１…を通じて、識別符号３を、前記８０進数の数値を昇順で変化させてゆくやり方で、印刷単位エリア２毎に変化させて印刷する必要があるが、このような印刷は、バリアブル印刷等によって実現できる。この実施例では、市販の「Ｄｉｇｉｍａｓｔｅｒ９１１０」（ハイデルベルグ社製）なる印刷機を用いて以上のような識別符号３の印刷を実現しているものである。
【００３８】
この実施例の名刺用の印刷用原紙は、以上のように構成したものであるから、これを用いて名刺の印刷を行えば、自ずと一枚毎に異なる識別符号３の付された名刺ができあがる。しかもこの名刺は、印刷用原紙の段階で、全印刷用原紙を通じて、印刷単位エリア毎に異なる識別符号が付されるものであるため、識別符号の管理が完全に行われ得、それ故、依頼人毎の各組の名刺相互間に於いても、一切ダブることのない、即ち、完全に一枚毎に異なる識別符号を付した名刺を印刷することが可能となるものである。このような名刺は種々の有用な用い方ができる。
【００３９】
図２は識別符号を付した名刺の管理用の名刺ホルダを示す概略斜視図である。
【００４０】
前記のようにして作成された名刺は、例えば、後述するようなスケジュール管理機能を持った名刺ホルダ４を構成し、これを利用して管理するようにするのが好都合である。
【００４１】
上記名刺ホルダ４は、図２に示すように、ほぼ直方体状の装置であるが、その寸法形状は多くのビジネスマンが使用してきたシステム手帳等と称される手帳と概ね同程度のものであり、携帯が容易になっている。その装置本体の一面には液晶表示器４ａ及びこれを携帯する者に関するスケジュール等のデータ入力用のキーボード４ｂを備え、かつ以上のデータその他のデータを保持する記憶手段並びにこれらを所定のプログラムに従って処理する演算部を内蔵するものである。
【００４２】
また装置本体の端部には二つの開口部が形成してあり、その一方はこれを携帯する者の名刺を入れておく名刺保持部の名刺を取り出すための名刺取り出し口４ｃであり、他方は、受領した名刺を入れておく受領名刺保持部の受領口４ｄである。なお前記名刺保持部の名刺取り出し口４ｃは、該名刺保持部に名刺を装入する際には名刺の装入口としても使用し、前記受領名刺保持部の受領口４ｄも該受領名刺保持部に保管している名刺を取り出す際には取り出し口としても使用するものである。
【００４３】
また前記名刺保持部は、１５枚程度の名刺が装入可能に構成されており、その一番上（表面側を手前に向けて装入した場合、その一番手前側）に装入されている名刺の識別符号３を読み取る読み取り手段（ＯＣＲ等）が構成されている。そしてその名刺が取り出されると、その取り出し時点に対応するスケジュールデータと関連づけて読み取られた識別符号３が保持されることとなる。他方、前記受領名刺保持部は、受領した名刺を前記受領口４ｄから装入すると、その名刺表面のデータを読み取る読み取り手段（ＯＣＲ等）が構成されており、読み取られたデータは、装入された時点に対応するスケジュールデータ及び取り出された名刺の識別符号３と関連づけて保存される。これらのデータは、云うまでもなく、前記記憶手段に格納されるようになっている。
【００４４】
なお前記名刺取り出し口４ｃ及び前記受領口４ｄへの名刺の装入は単にこれを押し込むだけでできるようになっているが、それぞれから名刺を取り出す場合はそれぞれに構成した取り出しボタンｂｃ、ｂｄを押し下げ操作する必要がある。前記名刺取り出し口４ｃの取り出しボタンｂｃを押し上げ操作すると、一枚の名刺が取り出され、前記受領口４ｄの取り出しボタンｂｄを押し下げ操作すると、受領名刺保持部に保持されている全名刺が順次吐き出されてくるように構成してある。
【００４５】
従ってこの実施例の名刺をこのような名刺ホルダを用いて管理すると、次のような結果を得ることができる。
【００４６】
前記名刺ホルダの記憶手段には、前記液晶表示器４ａ及び前記キーボード４ｂを用いてスケジュールデータを入力し、そのデータを保存しておくものとする。またその名刺保持部にも名刺取り出し口４ｃを通じて名刺を装入保持させておくものとする。当然、保持させる名刺は、この実施例の名刺用の印刷用原紙１を用いて作成された識別符号付きの名刺である。前記スケジュールデータは、日時、取引先名称、担当者、用件等である。
【００４７】
スケジュール通りにビジネスを行い、そのときに会った相手方と名刺の交換をするために前記名刺ホルダ４の取り出しボタンｂｃを押し下げ操作すると、自己の名刺がその名刺保持部から名刺取り出し口４ｃを通じて取り出される。前記のように、この名刺に表示されている識別符号は予め前記読み取り手段で読み取られており、その時点のスケジュールデータに関連づけて保存されることとなる。こうして取り出された名刺を相手方に手渡し、相手方から受け取った名刺を前記受領口４ｄから受領名刺保持部に装入すると、前記読み取り手段でその名刺表面のデータが読み取られ、そのデータは、装入された時点に対応するスケジュールデータ及び先に取り出され、相手方に手渡した名刺の識別符号３と関連づけて保存される。これらのデータは、先に述べたように、前記記憶手段に格納される。
【００４８】
こうしてどのような用件で誰と会ってどのような識別符号を付した名刺を渡したかが正確に記録される。それ故、例えば、後に、名刺を渡したことのある人物からの紹介によって他の人物に会った場合等に、その他の人物が自己の名刺を持参した場合は、その名刺に付されている識別符号により最初にその名刺を渡した人物が特定できる。これは、前記名刺ホルダ４にその機能も付与しておき、保持しているデータ中から該識別符号を持つデータの組を検索することにより得られる。このような検索操作は、前記キーボード４ｂ及び液晶表示器４ａを用いて行うことができるものである。
【００４９】
図３は、名刺ホルダ４に保持してあるデータから作成した名刺の手渡し先リストについての説明図である。
図３に示すように、前記名刺ホルダ４の保持する全データ又は一部の選択データについて、例えば、項目を識別符号、手渡し年月日、顧客名、目的としたリストを作成することもできる。図３の例は、２００２年６月５日から２００２年６月１５日までのＡ社とＤ社に関係するデータのみを拾い出してリスト化したものである。このようなリストを用いれば、何時、何処で、何の目的で名刺を手渡したか一目瞭然である。
【００５０】
以上の名刺ホルダ４のデータは、パソコン等に転送して種々に処理して利用することもできる。
【００５１】
【発明の効果】
本発明の１の印刷用原紙によれば、各種の印刷用原紙の印刷目的に応じた単位サイズの印刷単位エリア毎に、唯一固有の識別符号を印刷してそれぞれの印刷単位エリアが識別できるようにした印刷用原紙を作成して、これを提供することができる。そのためこの印刷用原紙を用いて印刷すると、個々の印刷物が唯一固有の識別符号を有することとなり、これを利用してその管理が適切に行われ得ることとなるものであるが、更には単なる管理を越えてこれによって新たなビジネスを生み出すことも可能になる。
【００５２】
本発明の２の印刷用原紙によれば、前記印刷単位エリア毎に、簡単かつ確実に唯一固有の識別符号を印刷することが可能であり、過去に印刷したいずれの同種の印刷物の印刷単位エリアともダブることがない識別符号を印刷することができる。
【００５３】
本発明の３の識別符号を付した印刷用原紙によれば、識別符号は透かさなければ見えないので、印刷原紙上にそのようなものが付されているのを嫌う需要者に対しては、これを用いるのが違和感を感じないこととなって好都合である。
【００５４】
本発明の４の印刷用原紙によれば、無機的に感じさせ易い識別符号を受け取る人に興味を感じさせることのできるものとなる。勿論、人の感じ方は様々であるから、かえって種々の印刷物に無機的に見える識別符号が付されていることが興味深く思われる場合もあり、これは場合によるということができる。識別符号は、前記のような構成ではなく、一列に並んだアルファニューメリックの配列によって構成し、そのような複数の識別符号を印刷用原紙の印刷単位エリアに一面に地模様のように配することも可能であり、これもまた人によるが興味深いものとなりうるものと考える。
【００５５】
本発明の５の印刷用原紙によれば、より多様な文字種により識別符号を構成し得るものとなる。
【図面の簡単な説明】
【図１】一実施例の識別符号を付した名刺用の印刷用原紙を示す平面図。
【図２】識別符号を付した名刺の管理用の名刺ホルダを示す概略斜視図。
【図３】名刺ホルダに保持してあるデータから作成した名刺の手渡し先リストを示す説明図。
【符号の説明】
１　印刷用原紙
２　印刷単位エリア
３　識別符号
４　名刺ホルダ
４ａ　液晶表示器
４ｂ　キーボード
４ｃ　名刺取り出し口
４ｄ　受領口
ｂｃ、ｂｄ　取り出しボタン
【図１】
2004122404.tif 000003
【図２】
2004122404.tif 000004
【図３】
2004122404.tif 000005